(57)【特許請求の範囲】
【請求項１】
ベッドフレームに設けられた１対の筒状の取着用孔を利用して、ベッド用側柵を前記ベッドフレームに固定するベッド用側柵の固定部材において、
前記側柵に軸方向を垂直にして設けられた円筒状の支持部材と、
この支持部材内に挿入され、その軸の周りに回転可能に支持される棒状の第１の脚部と、
前記側柵に軸方向を垂直にして固定された棒状の第２の脚部と、
前記第１の脚部に外嵌される筒状のストッパと、
を有し、
前記支持部材は、
円筒状の本体部と、
前記本体部の下端に形成され、円輪の一部が欠落した形状の係止部と、
を有し、
前記第１の脚部は、
その少なくとも一部が前記支持部材の前記本体部に挿入されて支持される棒状の上半部分と、
前記上半部の下方に、その軸芯が前記上半部分の軸芯に対して偏芯した状態で設けられ、前記取着用孔に挿入される下半部分と、
前記上半部分の側面に設けられた突起状の凸部と、
前記上半部分に連結されたレバーと、
を有し、
前記ストッパは、
その内面に内側に突出するように形成された第１の突起と、
その下端から下方に突出するように形成された第２の突起と、
を有し、
前記ストッパは前記係止部に外嵌され、前記第１の突起が前記係止部の前記欠落部を移動可能に、前記支持部材の前記本体部に対して回動し、
前記レバーを介して前記第１の脚部が回動すると、それにつれて前記凸部が回動し、前記ストッパの前記第２の突起に当接して前記ストッパを回動させ、
前記レバーの回動により、前記第１の脚部の偏芯した下半部分と前記第２の脚部との間隔が変化して、前記取着用孔に対する押圧力が変化することにより、前記第１の脚部の下半部分及び前記第２の脚部と、前記取着用孔との間の固定状態又は非固定状態が選択され、
前記第１の突起が前記支持部材の前記係止部の両端のいずれか一方の係止端部に当接して、前記レバーの回動域が規制されることを特徴とするベッド用側柵の固定部材。
【請求項２】
前記ベッド用側柵は、その側柵フレームを覆うフレームカバーを有し、
前記第１の脚部は、前記レバーを覆うレバーカバーを有し、
前記レバーが、前記第１の脚部の下半部分及び前記第２の脚部と前記取着用孔との非固定状態にあるときに、前記フレームカバー及び前記レバーカバーのいずれか一方に設けた突起と，他方に設けた凹部とが係合して、前記レバーがその非固定状態の位置に一時的に保持されることを特徴とする請求項１に記載のベッド用側柵の固定部材。
【請求項３】
ベッドフレームに設けられた１対の筒状の取着用孔を利用して、ベッド用側柵を前記ベッドフレームに固定するベッド用側柵の固定部材において、
前記側柵に軸方向を垂直にして設けられた円筒状の支持部材と、
この支持部材内に挿入され、その軸の周りに回転可能に支持される棒状の第１の脚部と、
前記側柵に軸方向を垂直にして固定された棒状の第２の脚部と、
前記第１の脚部に設けられたストッパと、
を有し、
前記第１の脚部は、
その少なくとも一部が前記支持部材の前記本体部に挿入されて支持される棒状の上半部分と、
前記上半部の下方に、その軸芯が前記上半部分の軸芯に対して偏芯した状態で設けられ、前記取着用孔に挿入される下半部分と、
前記上半部分に連結され一方向に延出するレバーと、
前記レバーを覆うと共に、前記レバーに対して、前記一方向に移動可能のレバーカバーと、
を有し、前記レバーの回動により、前記第１の脚部の偏芯した下半部分と前記第２の脚部との間隔が変化して、前記取着用孔に対する押圧力が変化することにより、前記第１の脚部の下半部分及び前記第２の脚部と、前記取着用孔との間の固定状態又は非固定状態が選択され、
前記ストッパは、
前記レバーカバーに形成された凹部又は凸部からなる第１係止部と、
前記固定状態において前記第１係止部に対向する位置の前記側柵に設けられ、前記第１係止部に嵌合可能の凸部又は凹部からなる第２係止部と、
前記レバーカバーを前記一方向における前記第１の脚部の前記上半部分に向かう方向に付勢する弾性部材と、
を有し、
前記固定状態において、前記レバーカバーは、前記弾性部材により、前記第１係止部と前記第２係止部との嵌合状態が維持される方向の付勢力を付与されることを特徴とするベッド用側柵の固定部材。
【発明の詳細な説明】
【技術分野】
【０００１】
本発明は、ベッドの側柵をベッド側部に着脱自在に設置するために、ベッド側部に設けた筒状の1対の取着用孔内に、夫々ベッド用側索の脚棒を挿入し、1対の脚棒間の間隔を調整することにより、脚棒の外面と取着用孔内面との間の摩擦により前記脚棒を前記取着用孔内に固定するベッド用側柵の固定部材に関する。
【背景技術】
【０００２】
ベッドの側部には、ベッドからベッド使用者が落下しないようにするために、側柵が設置されるようになっている。また、この側柵は、医師の治療行為及び看護師又は介護士の看護・介護行為を妨げないようにするため、必要な場合には、取り外しすることができるようになっている。このように、側柵をベッド側部に取り付けるために、ベッド側部の側柵取り付け位置に、1対の筒状の取着用孔を設置し、ベッド側柵の下縁部に、1対の脚棒を略平行に設け、各脚棒を夫々取着用孔内に挿入すると共に、脚棒間の間隔を広げて脚棒を取着用孔の内面に押圧することにより、摩擦により脚棒を取着用孔に固定する。また、側柵をベッド側部から取り外すためには、脚棒の取着用孔への押圧を解除することができるようになっている（特許文献１）。
【０００３】
この特許文献１に記載の従来技術においては、いずれかの一方の脚棒を、上部と下部とに区画し、脚部上部は側柵の下縁部にその中心軸の周りに回転可能に取り付け、この脚部上部に対して、脚部下部をその中心軸が偏心するように連結して、構成されている。そして、脚部下部を取着用孔内に挿入し、この脚部下部に固定された操作ハンドル（レバー）を介して前記脚部下部を回転させることにより、偏心した脚部下部と、他方の脚部との間の間隔を変化させ、脚部下部を取着用孔に押圧して、摩擦力により脚部と取着用孔とを固定している。なお、この操作ハンドルは、側柵に固定された保持装置に設けた凹部に弾性的に嵌まり込むことにより、脚部が固定状態のときに、所定位置に保持されるようになっている。
【先行技術文献】
【特許文献】
【０００４】
【特許文献１】特開２０１２−７０７６７
【発明の概要】
【発明が解決しようとする課題】
【０００５】
しかしながら、この特許文献１に記載の従来技術においては、操作ハンドルにより、偏心した脚部下部を回転させて、この脚部下部と取着用孔との固定及び固定解除を行っているが、脚部の固定状態では、操作ハンドルは単に凹部に嵌め込まれてその位置に保持されているだけであるので、外力が作用したときに操作ハンドルが容易に凹部から外れてしまうという問題点がある。操作ハンドルが不用意に所定の保持位置から外れてしまうと、操作ハンドルがベッドのフレーム側にまで回転してしまい、ベッドフレーム又は側柵の破損が生じる可能性がある。
【０００６】
本発明はかかる問題点に鑑みてなされたものであって、偏芯脚部を取着用孔に締め付けるためのレバーを、偏芯脚部を取着用孔に固定する固定状態で、確実に所定位置に保持し、不用意にレバーが回動してしまうことを防止できるベッド用側柵の固定部材を提供することを目的とする。
【課題を解決するための手段】
【０００７】
本願第１発明に係るベッド用側柵の固定部材は、
ベッドフレームに設けられた１対の筒状の取着用孔を利用して、ベッド用側柵を前記ベッドフレームに固定するベッド用側柵の固定部材である。
この固定部材は、
前記側柵に軸方向を垂直にして設けられた円筒状の支持部材と、
この支持部材内に挿入され、その軸の周りに回転可能に支持される棒状の第１の脚部と、
前記側柵に軸方向を垂直にして固定された棒状の第２の脚部と、
前記第１の脚部に外嵌される筒状のストッパと、
を有する。
そして、
前記支持部材は、
円筒状の本体部と、
前記本体部の下端に形成され、円輪の一部が欠落した形状の係止部と、
を有し、
前記第１の脚部は、
その少なくとも一部が前記支持部材の前記本体部に挿入されて支持される棒状の上半部分と、
前記上半部の下方に、その軸芯が前記上半部分の軸芯に対して偏芯した状態で設けられ、前記取着用孔に挿入される下半部分と、
前記上半部分の側面に設けられた突起状の凸部と、
前記上半部分に連結されたレバーと、
を有し、
前記ストッパは、
その内面に内側に突出するように形成された第１の突起と、
その下端から下方に突出するように形成された第２の突起と、
を有する。
また、
前記ストッパは前記係止部に外嵌され、前記第１の突起が前記係止部の前記欠落部を移動可能に、前記支持部材の前記本体部に対して回動し、
前記レバーを介して前記第１の脚部が回動すると、それにつれて前記凸部が回動し、前記ストッパの前記第２の突起に当接して前記ストッパを回動させ、
前記レバーの回動により、前記第１の脚部の偏芯した下半部分と前記第２の脚部との間隔が変化して、前記取着用孔に対する押圧力が変化することにより、前記第１の脚部の下半部分及び前記第２の脚部と、前記取着用孔との間の固定状態又は非固定状態が選択され、
前記第１の突起が前記支持部材の前記係止部の両端のいずれか一方の係止端部に当接して、前記レバーの回動域が規制されることを特徴とする。
【０００８】
また、この場合に、
前記ベッド用側柵は、その側柵フレームを覆うフレームカバーを有し、
前記第１の脚部は、前記レバーを覆うレバーカバーを有し、
前記レバーが、前記第１の脚部の下半部分及び前記第２の脚部と前記取着用孔との非固定状態にあるときに、前記フレームカバー及び前記レバーカバーのいずれか一方に設けた突起と，他方に設けた凹部とが係合して、前記レバーがその非固定状態の位置に一時的に保持されるように構成することもできる。
【０００９】
本願第２発明に係るベッド用側柵の固定部材は、
ベッドフレームに設けられた１対の筒状の取着用孔を利用して、ベッド用側柵を前記ベッドフレームに固定するベッド用側柵の固定部材において、
前記側柵に軸方向を垂直にして設けられた円筒状の支持部材と、
この支持部材内に挿入され、その軸の周りに回転可能に支持される棒状の第１の脚部と、
前記側柵に軸方向を垂直にして固定された棒状の第２の脚部と、
前記第１の脚部に設けられたストッパと、
を有し、
前記第１の脚部は、
その少なくとも一部が前記支持部材の前記本体部に挿入されて支持される棒状の上半部分と、
前記上半部の下方に、その軸芯が前記上半部分の軸芯に対して偏芯した状態で設けられ、前記取着用孔に挿入される下半部分と、
前記上半部分に連結され一方向に延出するレバーと、
前記レバーを覆うと共に、前記レバーに対して、前記一方向に移動可能のレバーカバーと、
を有し、前記レバーの回動により、前記第１の脚部の偏芯した下半部分と前記第２の脚部との間隔が変化して、前記取着用孔に対する押圧力が変化することにより、前記第１の脚部の下半部分及び前記第２の脚部と、前記取着用孔との間の固定状態又は非固定状態が選択され、
前記ストッパは、
前記レバーカバーに形成された凹部又は凸部からなる第１係止部と、
前記固定状態において前記第１係止部に対向する位置の前記側柵に設けられ、前記第１係止部に嵌合可能の凸部又は凹部からなる第２係止部と、
前記レバーカバーを前記一方向における前記第１の脚部の前記上半部分に向かう方向に付勢する弾性部材と、
を有し、
前記固定状態において、前記レバーカバーは、前記弾性部材により、前記第１係止部と前記第２係止部との嵌合状態が維持される方向の付勢力を付与されることを特徴とする。
【発明の効果】
【００１０】
本願第１発明によれば、第１の脚部の下半部分と上半部分とが偏芯しているので、第１の脚部の上半部分の回動により、第１の脚部の下半部分と第２の脚部との間の距離が変動し、これらの第１の脚部の下半部分及び第２の脚部と、取着用孔との間の押圧力が変化して、押圧力が高い状態で、前記第１の脚部及び第２の脚部を前記取着用孔に固定することができ、押圧力が小さい状態で、前記第１の脚部及び第２の脚部を前記取着用孔から抜き出すことができる。この場合に、ストッパが回動してその第１の突起が前記係止部の係止端部に当接して、レバーの回動域が規制される。よって、レバーに不用意に荷重が印加されても、レバーがベッドフレーム側に回動してしまうことがなく、レバーによりベッドフレーム又は側柵が損傷を受けることが防止される。
【００１１】
本願第２発明においても、固定状態において、レバーカバーは、弾性部材により、第１係止部と前記第２係止部との嵌合状態が維持される方向の付勢力を付与されるので、レバーに不用意に荷重が印加されても、レバーがベッドフレーム側に回動してしまうことがなく、レバーによりベッドフレーム又は側柵が損傷を受けることが防止される。
【図面の簡単な説明】
【００１２】
【図１】本願第１発明の実施形態の固定部材が取り付けられたベッド用側柵を示す全体図である。
【図２】固定部材を示す正面図である。
【図３】固定部材を示す正面図である。
【図４】ベッド側柵の脚部とレバーとの連結部を示す正面図である。
【図５】ベッド側柵における脚部を支持する支持部を示す斜視図である。
【図６】脚部を示す斜視図である。
【図７】ストッパを示す斜視図である。
【図８】本実施形態の固定部材の組立状態を示す図である。
【図９】ストッパ９の構造を示す下面図である。
【図１０】ストッパ９と脚部中間部６２との関係を示す斜視図である。
【図１１】カバー８の凹部８３を示す斜視図である。
【図１２】カバー４の突起４１を示す斜視図である。
【図１３】突起４１と凹部８３との係合状態を示す斜視図である。
【図１４】本発明の他の実施形態の全体を示す正面図である。
【図１５】同じく、他の実施形態のストッパの構造を示す図である。
【図１６】同じく、他の実施形態のストッパの機構を示す正面図である。
【発明を実施するための形態】
【００１３】
以下、本発明の実施形態について、添付の図面を参照して具体的に説明する。図１は、本実施形態の固定部材が取り付けられたベッド用側柵を示す全体図、図２及び図３は同じく固定部材を示す正面図、図４はベッド側柵の脚部とレバーとの連結部を示す正面図、図５はベッド側柵における脚部を支持する支持部を示す斜視図、図６は脚部を示す斜視図、図７はストッパを示す斜視図である。図１に示すように、ベッド側柵１は、その棒状の脚部６，７を、ベッドの矩形のフレーム（図示せず）の長辺に固定された１対の取着用孔（図示せず）内に挿入することにより、ベッド側部に立設されるようになっている。脚部６、７は、円棒状をなし、取着用孔は円筒状をなして、脚部６，７が遊嵌されるに十分な大きさの内径を有している。脚部６は側柵1の下端縁部に対して回転可能に連結されており、脚部７は側柵１の下端縁部に固定されていて、脚部６，７は相互に平行に鉛直下方を向いている。
【００１４】
側柵１のフレーム２は脚部６，７により支持されて、ベッド側部に立設され、側柵１の他のフレーム３は、垂直に配置された回動軸１０により、フレーム２に相互に回動可能に連結されている。そして、フレーム３とフレーム２とを同一面上に配置させた場合に、ベッドの長辺縁部の広大な領域で、ベッド上の患者が落下しないように防護し、フレーム３をフレーム２に対して折りたたむように回動させた場合には、患者がベッド上に移乗し、又はベッドから離床することを可能とする。
【００１５】
フレーム２及びフレーム３は、夫々カバー４，５により覆われている。これらのカバー４，５は、半割の板状の部品同士を、フレーム２，３を間に挟んで重ねて連結することにより組み立てられる。
【００１６】
脚部７は、フレーム２の下縁部に固定されている。一方、脚部６は、フレーム２の下縁部に回動可能に連結されている。即ち、図５に示すように、フレーム２の下縁部は、水平の角筒状の部材２ａと、水平の円筒状の部材２ｂとの間に、垂直の円筒状の連結部２ｃを配置して組み立てられており、連結部２ｃは、円筒状の本体部２１と、この本体部２１の下端部の本体部２１より小径の係止部２２とから構成されている。係止部２２は、本体部２１の円周方向の一部に形成されており、その両端部は、係止端部２３（２３ａ，２３ｂ）となっている。部材２ａ側の係止端部２３ａ、２３ｂ間は、係止部２２が欠落している。図８に示すように、係止部２２の欠落部は、角筒状部材２ａ側に位置しており、係止端部２３ａ及び係止端部２３ｂと、係止部２２の軸心（本体部２１の軸心）とを結ぶ線分が、角筒状部材２ａの軸心とがなす角度は、例えば、６０°であり、９０°未満の角度である。この角度が６０°の場合は、係止部２２は本体部２１の２／３の周長部分に形成されていることになる。
【００１７】
図６に示すように、脚部６は、円柱棒状をなし、上部６１と下部６３とがその間に中間部６２を設けて一体成形されている。上部６１は、図８に示すように、部材２ｃの係止部２２の内径に整合する直径を有し、この係止部２２内に挿入されて、係止部２２と同軸的に回動する。また、上部６１の上縁部には、円周方向に延びる溝６１ａが形成されており、図２に示すように、この溝６１ａが部材２ｃの上端から上方に突出して、この溝６１ａを介して、脚部６が部材２ｃから落下しないように支持されている。脚部６の中間部６２は、上部６１よりも若干大径であり、中間部６２の側部から、レバー６５が中間部６２に垂直に、従って水平方向に延びるように固定されている。このレバー６５の先端部６７は上方に若干屈曲して形成されている。このレバー６５及び先端部６７は、中間部６２と共に、カバー８により覆われている。このカバー８は、先端部６７近傍の部分が上方に立ち上がり、この部分に孔８２を有する握持部８１となっている。カバー８は、その内部に、レバー６５とこのレバー６５に直交する先端部６７とが設けられているので、垂直面内における剛性が確保されている。また、中間部６２の上側部であって、レバー６５の上方の位置には、突起タイプのストッパ６４が形成されている。
【００１８】
脚部６の下部６３は上部６１と同様に円柱棒状をなすが、その軸芯は、上部６１の軸芯から偏倚している。即ち、下部６３は上部６１に対して偏芯している。このため、フレーム２の部材２ｃ内に挿入された上部６１を中心として、脚部６が回動した場合には、下部６３の軸芯は上部６１の軸芯を中心として、公転する。この下部６３は、ベッドフレームに固定された取着用孔内に挿入される。このため、脚部６が回動すると、その下部６３は上部６１の回動中心に対して偏芯しているので、取着用孔内でその内面に接近したり、逆に離隔する。そして、下部６３は、取着用孔の内面に接近して接触した後は、下部６３が取着用孔の内面を押圧することになる。
【００１９】
ストッパ９は、円筒状をなし、本体部９１は、その内径が係止部２２の外径と整合し、本体部９１は、係止部２２に外嵌して、本体部９１が係止部２２を中心として回動することができる。つまり、ストッパ９の本体部９１の内面９１ａは係止部２２の外面に接触して摺動するが、この内面９１ａの周方向の一部に内側に突出する突起９２が形成されている。また、本体部９１の下端縁には、その周方向の一部における外面９１ｂを含む厚さ方向の一部が、下方に突出して、突起９３が形成されている。
【００２０】
次に、上述のごとく構成された部材２ｃ、脚部６及びストッパ９の組立方法について、図２〜図４、図９、図１０を参照して説明する。先ず、フレーム２の部材２ｃの下部の係止部２２にストッパ９を外嵌する。このとき、ストッパ９の内面９１ａは、部材２ｃの係止部２２の外面に重なる。そして、ストッパ９の突起９２は、係止部２２の欠落部に位置し、ストッパ９は、係止部２２に外嵌した状態で、突起９２が係止端部２３ａと係止端部２３ｂとに当接するまで、突起９２は係止端部２３ａと係止端部２３ｂとの間を移動することができる。更に、脚部６の上部６１を部材２ｃの内部に挿入する。このとき、脚部６の上部６１の周面は、係止部２２の内面に接触し、脚部６が回転すると、上部６１の周面が係止部２２の内面に摺動することになる。また、中間部６２の突起状ストッパ６４は、ストッパ９の外面突起９３に対し、脚部６の長手方向に関して整合する位置にあり、中間部６２が回転すると、ストッパ６４は突起９３の周方向端面に当接する。
【００２１】
カバー８は、図１１に示すように、主として、レバー６５を覆う棒状の部分から、レバー６５の先端部６７の部分では上方に延出して板状となり、握持部８１を構成している。そして、この握持部８１の中間部６２側の側面に、凹部８３が形成されている。また、図１２に示すように、カバー４の側面には、突起４１が形成されており、図１３に示すように、カバー８が外側に回動（脚部７の反対側に回動）してきた場合に、カバー４の突起４１がカバー８の凹部８３に嵌合し、カバー８がその位置に係止される。
【００２２】
次に、上述の本実施形態の動作について説明する。図１に示すように、カバー８が脚部７側に回動している場合は、図２及び図６に示すように、脚部６の下部６３が、上部６１に対して、脚部７から遠くなる方に偏芯している。このため、脚部７と、脚部下部６３との間の距離は、大きなもの（第１間隔）となっている。そして、ベッドフレームに設置された１対の取着用孔内に、脚部７と脚部下部６３とが挿入されているので、脚部７と脚部株６３との間隔が広くなると、脚部下部６３と脚部７とが、相互に相反する方向に突っ張る状態となり、脚部下部６３と脚部７が、取着用孔の内面に強固に押しつけられ、脚部下部６３及び脚部７と取着用孔内面との間の摩擦力により、脚部下部６３及び脚部７が取着用孔に固定される。これにより、側柵１は、ベッドフレームから抜け出ないように固定配置される。
【００２３】
このとき、レバー６５は、その先端部６７が脚部７側を向き、レバー６５がフレーム２又はカバー４と平行になっている。このときの脚部６とストッパ９との関係は、図８（ｂ）及び図１０に示すように、上面視で、レバー６５が反時計方向に回転したことによるものであり、レバー６５が反時計方向に回転することにより、脚部上部６１が反時計方向に回転し、脚部上部６１と一体的な脚部中間部６２も反時計方向に回転し、その結果、脚部中間部６２に設けられたストッパ６４も反時計方向に回転して、ストッパ９の下端の突起９３に当接し、ストッパ６４が突起９３を押して、ストッパ９を反時計方向に回転させる。その結果、ストッパ９の上端の突起９２が反時計方向に回転して、最終的に、部材２ｃの係止部２２の係止端部２３ｂに当接する。このようにして、突起９２が係止端部２３ｂに当接すると、ストッパ９はそれ以上回転できず、停止した突起９３に阻止されて、脚部６もそれ以上回転できない。その結果、レバー６５もそれ以上反時計方向に回転できなくなる。これにより、脚部６，７が取着用孔に固定された状態で、カバー８を介してレバー６５に不用意に応力が印加されても、レバー６５はベッドフレーム側に回動してしまうことはない。なお、ベッドフレーム側からレバー６５に応力が印加される事態は、ベッドフレームとレバー６５との間に故意に手を挿入するようなことがなければ生じようがなく、レバー６５に時計方向に回転するような応力が不用意に印加されることはない。
【００２４】
次いで、側柵１をベッドフレームから取り外す場合には、カバー８の孔８２に指を挿入して、握持部８１を手前に引き、レバー６５を時計方向に回転させる。そうすると、カバー８は、図１２に示す状態から、上面視で、時計方向に回動し、図１３に示すように、カバー４の外側の側縁に設けた突起４１にカバー８の凹部８３が嵌合する。これにより、レバー６５又はカバー８は、図１３に示すように、カバー４と平行で、カバー４の下方に退避した状態で、保持される。
【００２５】
このとき、レバー６５は、図２の状態から１８０°回転しており、従って、脚部下部６３は、その軸芯が脚部上部６１又は脚部中間部６２の軸芯に対して、脚部７側に偏倚している。即ち、脚部下部６３と脚部７との間の間隔は、図２に示す状態よりも小さくなっている。このため、脚部下部６３及び脚部７と、ベッドフレームに設けた取着用孔との間は、遊嵌状態になっており、脚部下部６３及び脚部７は、取着用孔に向けて押圧されていない。よって、脚部下部６３及び脚部７を、取着用孔から、容易に抜け出すことができ、側柵１を容易に取り外すことができる。また、このように、側柵１をベッドフレームに非固定状態にするのは、側柵１を取り外すときであるので、レバー６５又はカバー８は、側柵取り外し作業の際に、ばたつかなければ良く、突起４１と凹部８３との係合で、その位置に係止させておく程度で足りる。即ち、この側柵１の非固定状態は、ベッドの通常の使用状態ではないので、不用意にレバー６５に荷重が印加されることはなく、また、それによる患者等の危険もない。このため、上述の突起４１と凹部８３との係合程度で、レバー６５又はカバー８を係止すれば足りる。なお、この図１３に示すように、凹部８３に突起４１が係合してカバー８が保持された状態で、脚部をベッドフレームの取着用孔に挿入するので、容易に脚部を取着用孔に挿入することができる。また、凹部８３に突起４１が係合している場合は、この係合状態を視認することにより、側柵が非固定状態であることを把握することができる。そして、凹部８３に突起４１が係合する際のクリック感により、視認のみの場合よりも確実に非固定状態の確認ができるため、側柵取外時の安全性が高い。即ち、側柵を非固定状態以外の状態で、無理に引き抜くと、ベッド及び側柵固定部材を破損させる虞があるが、本実施形態の場合は、前記クリック感により、確実に非固定状態の確認ができるため、側柵取り外し時の安全性が高まる。
【００２６】
一方、ベッドに対する側柵１の取着状態は、図１に示す場合に限らず、回転フレーム３及びカバー５が、正面視で、固定フレーム２及びカバー４の左側になる必要がある場合がある。この場合、側柵１は、ベッドに対して、図１の裏返しにする必要がある。つまり、側柵１は、図１の裏側の部分を、表側にする必要がある。この場合でも、脚部下部６３と、脚部７との間隔が広くなるように、脚部下部６３が脚部状部６１に対して偏芯しているときに、脚部下部６３及び脚部７が取着用孔に固定される。
【００２７】
しかし、このように、側柵１を裏返しにベッドフレームに取着する場合は、レバー６５又はカバー８の回転方向が、側柵１を図１に示すようにベッドフレームに取着する場合に対して、逆方向になる。即ち、図８（ｂ）に示すように、前述の側柵使用形態においては、側柵１を固定する場合は、レバー６５又はカバー８を上面視で反時計方向に回動させて、脚部上部６１を反時計方向に回動させ、ひいては、ストッパ９も反時計方向に回動させる結果、ストッパ９の突起９２が係止部材２２の係止端部２３ｂに当接した状態で、脚部下部６３が取着用孔に固定される。これに対し、側柵１を裏返しにベッドフレームに取着する場合は、レバー６５又はカバー８を手前に引いて、脚部下部６３を固定しようとすると、レバー６５又はカバー８を上面視で時計方向に回動させることになる。この場合には、図８（ｃ）に示すように、上面視で、レバー６５又はカバー８を時計方向に回動させ、脚部上部６１を時計方向に回動させると、脚部中間部６２のストッパ６４が突起９３を介してストッパ９を時計方向に回動させ、その突起９２が時計方向に回動して、係止部２２の係止端部２３ａに当接する。この状態で、レバー６５及びカバー８は、脚部７を向き、脚部下部６３と脚部７は、取着用孔に押しつけられて、固定される。また、このとき、突起９２が係止端部２３ａに当接するので、脚部下部６３及び脚部７が固定状態になると共に、レバー６５及びカバー８がカバー４と平行になった後は、レバー６５及び脚部６はそれ以上時計方向に回動しない。よって、レバー６５に不用意に荷重が印加されても、レバー６５がベッドフレーム側に回動してしまうことはない。
【００２８】
このように、本実施形態においては、側柵１がどのようにベッドフレームに装着されようとしても、その固定状態で、レバー６５がベッドフレーム側に回動してしまうことが確実に防止される。即ち、固定状態にするために、レバー６５を時計方向に回動させる場合も、反時計方向に回動させる場合も、いずれの場合も、回転するストッパ９を設けてその係止位置を変動可能とするだけで、脚部固定状態では、常に、レバー６５又はカバー８を、脚部７側を向いた状態で、カバー４の直下の位置に位置させることができ、いずれの場合も、レバー６５又はカバー８がベッドフレーム側に不用意に回動してしまうことを防止できる。
【００２９】
なお、カバー８には、これを、レバー６５及び先端部６７に対して、脚部６側に向けて弾性的に付勢した状態で、取り付けることとしてもよい。この場合は、カバー８の握持部の斜面に設けられた凹部８３の周辺部分が、付勢力に抗して突起４１を乗り越えて、凹部８３に突起４１が嵌合されるので、突起４１と凹部８３との係合状態をより強固に保持することができる。
【００３０】
次に、本発明の他の実施形態について説明する。図１４は本実施形態の全体を示す正面図、図１５（ａ）及び（ｂ）はストッパの構造を示す図、図１６はこのストッパの機構を示す正面図である。これらの図において、図１等の前述の実施形態と同一部材には同一符号を付して説明を省略する。但し、本実施形態においては、脚部６にはストッパ９が取り付けられていない。本実施形態においても、レバー６５が，図１及び図２と同様に、脚部６に対して正面視で右側に回動している場合に、脚部下部６３と、脚部７との間の距離が拡大して、脚部下部６３及び脚部７が取着用孔の内面に押しつけられ、脚部下部６３及び脚部７が取着用孔に固定されている。逆に、レバー６５が、脚部６に対して正面視で左側に回動している場合に、脚部下部６３と脚部７は、取着用孔に固定されず、側柵１をベッドの取着用孔から取り外すことができる。
【００３１】
本実施形態においては、レバー６５を覆うカバー８の握持部８１における脚部６側の斜辺に、凹部１０１が形成されている。また、フレーム２のカバー４にも、その凹部１０１に対向する位置に、凸部１００が形成されている。そして、凹部１０１に凸部１００が嵌まり込むことにより、レバー６５がそれ以上回動せずに、その位置に保持されるためのストッパ機構が構成される。この場合に、本実施形態においては、カバー８が、レバー６５及び先端部６７を含む仮想面と平行に、その仮想面の表裏に重なるようにしてレバー６５及び先端部６７を覆うが、このカバー８内に、圧縮コイルバネ１０２が設けられている。また、カバー８は、レバー６５及び先端部６７に対してレバー６５の長手方向に若干の裕度があるような大きさを有している。そして、圧縮コイルバネ１０２は、レバー６５を外嵌するように配置されており、この圧縮コイルバネ１０２の先端部６７側の端部１０３は、レバー６５又は先端部６７に固定されている。また、圧縮コイルバネ１０２の他方の端部１０４は、カバー８の内面に固定されている。これにより、カバー８には、圧縮コイルバネ１０２が伸びる方向に付勢力が作用し、従って、カバー８には、常に脚部６側に向けて付勢力が作用する。
【００３２】
次に、本実施形態の固定部材の動作について説明する。カバー８の握持部８２を操作して、レバー６５を図１４及び図１６に示すように、正面視で、脚部６の反対側に回動させる。これにより、脚部６の偏芯した脚部下部６３が脚部７から遠い方に移動し、脚部７と脚部下部６３との間隔が大きくなる。そして、ベッドフレームに立設された取着用孔内において、脚部７及び脚部下部６３が取着用孔の内面に強く押圧され、脚部６，７が取着用孔に固定される。これにより、側柵１がベッドフレームに固定される。このとき、レバー６５のカバー８が平面視で反時計方向に回動して、上述の固定状態の位置に移動する際、カバー８は圧縮コイルバネ１０２により、脚部６側に向けて付勢されているので、握持部８２の斜辺に形成された凹部１０１の周囲の部分は、圧縮コイルバネ１０２の弾性力に抗して脚部６の反対側に若干移動することによりカバー４に形成された突起１００を、乗り越える。そして、突起１００が凹部１０１に嵌合されたときに、圧縮コイルバネ１０２の付勢力により、カバー８が脚部６側に戻り、突起１００が凹部１０１内に嵌合された状態を保持する。このとき、カバー８は圧縮コイルバネ１０２により、脚部６側に付勢されているので、カバー８に不用意に外力が作用しても、凹部１０１が突起１００から離脱してしまうことがない。よって、レバー６５が不用意に外側に回動してしまうことがない。側柵１を取り外す際には、握持部８２を握持して、意図的にカバー８を手前に引き、平面視で、時計方向にカバー８を回動させて、図１４及び図１６に示す位置の反対側の位置（１８０°回動した位置（図１３に示す位置））に移動させる。これにより、脚部下部６３及び脚部７の取着用孔への押圧が解除され、脚部下部６３及び脚部７を引き抜くことが可能となる。なお、本実施形態においても、側柵１を表裏逆にベッドフレームに装着した場合に、固定状態においてレバー６５をその位置に保持することができる。
【００３３】
本実施形態においては、ストッパ９を設けた実施形態と同様の効果を奏するのに加え、固定状態において、外力によりレバー６５が不用意に手前に回動してしまうことを確実に防止できる。操作ハンドルとしてのレバー６５又はカバー８が、大きな外力を受けて、外側（手前）に回転してしまうと、脚部と取着用孔との固着状体が解除されてしまい、側柵が取着用孔から外れてしまう虞があり、更に、操作ハンドルが、看護師又は介護者側に飛び出し、看護師又は介護者が操作用ハンドルに接触して、転倒及び怪我が発生する虞がある。しかし、本実施形態においては、圧縮コイルバネ１０２により突起１００と凹部１０１との嵌合状態が確実に保持されているので、大きな外力が作用しても、レバー６５及びカバー８が手前に飛び出してしまうことはない。
【産業上の利用可能性】
【００３４】
本発明は、ベッド側柵のベッドフレームへの装着に際し、脚部の固定状態で、レバーがベッドフレーム側に不用意に回動してしまうことを、簡易な機構で確実に防止することができる。このため、ベッドフレームの損傷、介護者又は看護師の転送又は怪我の発生を確実に防止できるため、特に病院又は介護施設等のベッド装置として極めて有益である。
【符号の説明】
【００３５】
１：側柵
２，３：フレーム
４，５，８：カバー
６，７：脚部
９：ストッパ
２１：本体部
２２：係止部
２３（２３ａ、２３ｂ）：係止端部
４１：突起
６１：脚部上部
６２：脚部中間部
６３：脚部下部
６４：ストッパ
６５：レバー
６７：先端部
８１：握持部
８３：凹部
９１：本体部
９２、９３：突起
１００：凸部
１０１：凹部
１０２：圧縮コイルバネ
１０３：端部（レバー６５への固定）
１０４：端部（カバー８への固定）
【図１】
0006552376.tif 000002
【図２】
0006552376.tif 000003
【図３】
0006552376.tif 000004
【図４】
0006552376.tif 000005
【図５】
0006552376.tif 000006
【図６】
0006552376.tif 000007
【図７】
0006552376.tif 000008
【図８】
0006552376.tif 000009
【図９】
0006552376.tif 000010
【図１０】
0006552376.tif 000011
【図１１】
0006552376.tif 000012
【図１２】
0006552376.tif 000013
【図１３】
0006552376.tif 000014
【図１４】
0006552376.tif 000015
【図１５】
0006552376.tif 000016
【図１６】
0006552376.tif 000017